(57)【要約】    【課題】  撮像装置に適用したとき撮像装置の厚みを薄くすることができる光学系を得ること。    【解決手段】  物体側から像側へ順に、正の屈折力の第１レンズ群、前記第１レンズ群からの光束を反射面で複数の光束に分割し、互いに異なった方向に反射させる光分割手段、前記光分割手段で分割された複数の各光束の光路中に屈折力を有する後群を有し、前記光分割手段より像面側にフォーカス手段を有すること。【選択図】    図１
2019035792.tif 000002
【特許請求の範囲】
【請求項１】
正の屈折力の第１レンズ群と、
前記第１レンズ群からの光束を反射面で複数の光束に分割して互いに異なる方向に反射させる光分割手段と、
前記複数の光束の夫々の光路中に配置される屈折力を有する後群とを有し、
前記後群は、フォーカシングに際して移動するフォーカスレンズ群を含むことを特徴とする光学系。
【請求項２】
前記光分割手段で分割された複数の光束により、互いに異なる物体像を形成することを特徴とする請求項１に記載の光学系。
【請求項３】
前記第１レンズ群の光軸と前記後群の光軸とのなす角をθとするとき、
８０°＜θ＜１００°
なる条件式を満足することを特徴とする請求項１または２に記載の光学系。
【請求項４】
前記第１レンズ群の物体側面頂点と前記光分割手段の反射面の光軸上の距離をＤＲ、全系の焦点距離をｆとするとき、
０．１＜ＤＲ／ｆ＜０．５
なる条件式を満足することを特徴とする請求項１乃至３のいずれか１項に記載の光学系。
【請求項５】
前記後群からの光束を物体側方向へ反射させる反射部材を有することを特徴とする請求項１乃至４のいずれか１項に記載の光学系。
【請求項６】
前記光分割手段で分割された複数の光束の光路中には各々反射部材が配置され、該反射部材で反射された光束は前記後群に導光されることを特徴とする請求項１または５のいずれか１項に記載の光学系。
【請求項７】
前記第１レンズ群の光軸と前記後群の光軸は互いに直交する平面内に位置することを特徴とする請求項６に記載の光学系。
【請求項８】
前記第１レンズ群の光軸と前記第１レンズ群の光軸上の光線が前記光分割手段で反射されたときの第１反射光軸とで形成される第１平面に対して、前記第１反射光軸と前記第１反射光軸の光線が前記反射部材で反射されたときの第２反射光軸とで形成される第２平面は直交していることを特徴とする請求項６に記載の光学系。
【請求項９】
請求項１乃至８のいずれか１項に記載の光学系と、該光学系によって形成された像を受光する撮像素子を有することを特徴とする撮像装置。
【請求項１０】
光学系と、該光学系によって形成された像を受光する撮像素子とを備え、
前記光学系は、
正の屈折力の第１レンズ群と、
前記第１レンズ群からの光束を反射面で複数の光束に分割して互いに異なる方向に反射させる光分割手段と、
前記複数の光束の夫々の光路中に配置される屈折力を有する後群とを有し、
フォーカシングに際して、前記後群に含まれるレンズ群又は前記撮像素子の少なくとも一方が移動することを特徴とする撮像装置。
【発明の詳細な説明】
【技術分野】
【０００１】
本発明は光学系に関し、例えば、デジタルスチルカメラ、デジタルビデオカメラ、ウェアラブルデバイス等の撮像装置に好適な光学系に関するものである。
【背景技術】
【０００２】
近年、ウェアラブルデバイス等の撮像装置においては、装置全体が薄型であることが要望されている。特許文献１には、光学系にミラーから成る瞳分割手段を設け、光束を二分割することで複数の視差画像を取得する撮像装置が記載されている。また、特許文献２では、撮像装置を薄型化するために、光軸を９０°折り曲げる反射手段が設けられた光学系が記載されている（特許文献２）。
【先行技術文献】
【特許文献】
【０００３】
【特許文献１】特開２０１０−８１５８０号公報
【特許文献２】特開２００８−１０２３９８号公報
【発明の概要】
【発明が解決しようとする課題】
【０００４】
しかし、特許文献１に記載の撮像装置は、複数の視差画像を撮像することを目的としているため、光学系全系の小型化、薄型化が困難である。
【０００５】
特許文献２では、光学系中に光路を略９０度偏向（折り曲げる）する反射手段を１枚用いている。１枚の反射手段を用いると光学系の厚みは反射手段を光学系中に配置したときの反射手段の光軸方向の長さに影響される。このため、１枚の反射手段を用いる方法は光学系の厚み方向を薄くするのに限界があった。
【０００６】
撮像装置の厚みを薄くするためには反射手段を光学系の光路中に設けるのが効果的である。しかしながら光路中に光路を折り曲げる反射手段を設けてカメラの厚さを薄くするには反射手段の構成及び光学系を構成するレンズ構成等を適切に設定することが重要になってくる。
【０００７】
特に瞳径の大きな光学系を用いて撮像装置の薄型化を図るには反射手段の光路中の位置や反射手段の反射面の数等の構成、光入射側のレンズ群と反射手段との位置関係等を適切に設定することが重要になってくる。
【０００８】
本発明は、撮像装置に適用したとき撮像装置の厚みを薄くすることができる光学系及びそれを用いた撮像装置を提供することができる。
【課題を解決するための手段】
【０００９】
本発明の光学系は、正の屈折力の第１レンズ群と、前記第１レンズ群からの光束を反射面で複数の光束に分割して互いに異なる方向に反射させる光分割手段と、前記複数の光束の夫々の光路中に配置される屈折力を有する後群とを有し、前記後群は、フォーカシングに際して移動するフォーカスレンズ群を含むことを特徴としている。
【発明の効果】
【００１０】
本発明によれば、撮像装置に適用したとき撮像装置の厚みを薄くすることができる光学系が得られる。
【図面の簡単な説明】
【００１１】
【図１】本発明の光学系の効果を説明するための光路図
【図２】実施例１の光路を展開したときのレンズ断面図
【図３】実施例１の一部分のレンズ断面図
【図４】実施例２の光路を展開したときのレンズ断面図
【図５】実施例２の一部分のレンズ断面図
【図６】実施例３の光路を展開したときのレンズ断面図
【図７】実施例３の一部分のレンズ断面図
【図８】実施例３の一部分のレンズ断面図
【図９】実施例３の一部分のレンズ断面図
【図１０】実施例４の光路を展開したときのレンズ断面図
【図１１】実施例４の一部分のレンズ断面図
【図１２】従来の光学系を示す光路参考図
【図１３】本発明の撮像装置の要部概略図
【発明を実施するための形態】
【００１２】
以下に、本発明の好ましい実施の形態を、添付の図面に基づいて説明する。本発明の光学系は、正の屈折力の第１レンズ群、第１レンズ群からの光束を反射面で複数の光束に分割し、互いに異なった方向に反射させる光分割手段を有する。更に光分割手段で分割された複数の光束の各光束の光路中に屈折力を有する後群を有し、後群はフォーカシングに際して移動するフォーカスレンズ群を有する。光分割手段で分割された複数の光束により、互いに異なった物体像を形成する。
【００１３】
図１は本発明の光学系の薄型化の効果を示す説明図である。図２、図３は本発明の実施例１の光路を展開したときの光路図と光分割手段で光束を分割するときの光路説明図である。図４、図５は本発明の実施例２の光路を展開したときの光路図と光分割手段で光束を分割するときの光路説明図である。図６は本発明の実施例３の光路を展開したときの光路図である。図７、図８は本発明の実施例３の光分割手段で光束を分割したときの光路説明図である。図９は本発明の実施例３の一部分の要部斜視図である。
【００１４】
図１０、図１１は本発明の実施例４の光路を展開したときの光路図と光分割手段で光束を分割するときの光路説明図である。図１２は従来の光学系の要部概略図である。図１３は本発明の撮像装置の要部概略図である。
【００１５】
各光路説明図においてＬ０は光学系である。Ｌ１は正の屈折力の第１レンズ群である。Ｌｐｄは第１レンズ群Ｌ１からの光束を反射面で複数の光束に分割し、互いに異なった方向に反射させる光分割手段である。ＬＲ、ＬＲ１、ＬＲ２は各々光分割手段Ｌｐｄで分割された複数の光束の各光束の光路中に配置された所定の屈折力を有する光束である。ＩＰは像面であり、ＣＣＤセンサやＣＭＯＳセンサ等の撮像素子が配置されている。ＬＭ、ＬＭａ、ＬＭｂは各々反射部材である。
【００１６】
撮像装置の薄型化を図るため、光学系の光路を略９０度折り曲げる反射素子手段を用いた光学系が知られている。しかしながら、望遠レンズや大口径レンズといった瞳径の大きい光学系においては、光学系の厚みは略瞳径に比例する。このため、瞳径の大きな光学系を用いると、撮像装置の薄型化が困難となる。
【００１７】
本発明の光学系Ｌ０は物体側から像側へ順に、正の屈折力の第１レンズ群Ｌ１、第１レンズ群Ｌ１より射出される光束を分割する光分割手段Ｌｐｄ、所定の屈折力を有する後群ＬＲを有する。
【００１８】
本発明の光学系Ｌ０は正の屈折力の正の屈折力の第１レンズ群Ｌ１の像側であって、瞳位置又はその近傍に複数の反射面よりなる光瞳分割手段を配置し、光束を複数に分割するとともに各々複数の方向へ光路を偏向している。これにより図１に示すように光学系Ｌ０の厚み方向を薄くしている。
【００１９】
このときの薄型化の効果について、図１と図１２を用いて説明する。図１２は従来の１つの反射面よりなる反射手段ＬＭＯを用いて入射光路を折り曲げたときの光学系Ｌ０の要部概略図である。図１と図１２に記載している第１レンズ群Ｌ１の焦点距離と口径は同等である。
【００２０】
図１２では、正の屈折力の第１レンズ群Ｌ１の像側に光路を略９０度偏向する反射手段ＬＭ０を配置している。この構成において、光学系Ｌ０の厚み方向は反射手段ＬＭ０の大きさに影響される。
【００２１】
これに対して図１は本発明の光学系Ｌ０の基本構成の要部概略図である。図１では正の屈折力の第１レンズ群Ｌ１の像側の瞳位置またはその近傍に光束を複数に分割しつつ、各光束を略９０度偏向する複数の反射面よりなる光分割手段Ｌｐｄを配置している。光分割手段Ｌｐｄは光学系Ｌ０の瞳又はその付近に配置している。このような光分割手段を配置することにより、光学系Ｌ０の厚み方向を薄型化してといる。
【００２２】
図１、図１２に示すように図１の方が光学系Ｌ０の厚みが薄いことがわかる。ここで、図１では光路の偏向に２つの反射面よりなる光分割手段Ｌｐｄを用いているが、反射面の数はいくつであっても良い。光路の偏向に際し、光学系Ｌ０の薄型化の観点から光路の偏向角は９０度±１０度とすることが好ましい。
【００２３】
即ち、第１レンズ群Ｌ１の光軸と後群ＬＲの光軸とのなす角をθとする。このとき、
８０°＜θ＜１００°
なる条件式を満足することが良い。この範囲を超えた偏向角においては、光分割手段Ｌｐｄによる光学系の薄型効果が小さくなるのでよくない。
【００２４】
また、本発明の光学系Ｌ０においては、無限遠から近距体への合焦に際してフォーカス機構を配置している。一般に瞳径が大きくなる望遠型の光学系や大口径の光学系においては、被写界深度が浅い。このため、フォーカス機構を用いるのが良い。また、前記フォーカス機構を光分割手段Ｌｐｄより像面側に配置している。これによれば、瞳径が大きくなる望遠型の光学系において、レンズ外径の大きな第１レンズ群Ｌ１、光分割手段Ｌｐｄをフォーカス時に固定とすることができ、撮像装置全系の小型化が実現できる。
【００２５】
本発明の光学系において、フォーカス動作は、レンズ群の移動によるもの、撮像素子の移動によるもの、光学系中に屈折力可変の光学素子を配置するものなど、種々のフォーカス方式が採用できる。また、図１においては、入射光束を２分割することで光学系を薄型化する構成を示したが、光束の分割数は２分割に制限されることなく、４分割など更なる多分割する構成も適用できる。
【００２６】
また、本構成によれば、とくに光分割手段Ｌｐｄを瞳近傍に配置した場合、光束の分割の効果により視差画像の取得ができる。本発明により得られた複数の画像について、単純加算すれば瞳を再構成した通常画像を、単独の視差画像として用いれば立体視を、それぞれ実現できる。
【００２７】
以上の構成により本発明の光学系Ｌ０では、瞳径の大きい光学系において、撮像装置の薄型化が容易な光学系を実現している。
【００２８】
以下、各実施例をもとに、本発明のより好ましい構成について説明する。本発明の光学系において、光分割手段Ｌｐｄは複数の反射面を用いて構成している。これによれは、シンプルかつ光量の損失を最小限として瞳又はその付近において光束の分割と偏向を実現できる。実施例１乃至３では反射面、実施例４では全反射面を採用している。
【００２９】
ここで、各実施例において、第１レンズ群Ｌ１の物体側面頂点から光分割手段Ｌｐｄの反射面（後述のＬｐｄ２の位置）までの光軸上の距離をＤＲ、光学系全系の焦点距離をｆとしたとき、下記条件式を満足する配置としている。
【００３０】
０．１  ＜  ＤＲ／ｆ  ＜  ０．５    …（１）
光分割手段Ｌｐｄの配置を最適化することで、光学系Ｌ０全系の薄型化を実現している。
【００３１】
条件式（１）の上限を超えると、光分割手段Ｌｐｄの配置が像面側となりすぎてしまう。このとき、大口径光学系の光路分割による薄型化効果が発揮できない。一方、下限を超えると、光分割手段Ｌｐｄの配置が物体側となりすぎ、光分割手段Ｌｐｄが大型化するとともに、反射面の要求面精度が高まりすぎてしまうのでよくない。
【００３２】
より好ましくは、条件式（１）の数値範囲を以下の範囲とするのがよい。
０．１５  ＜  ＤＲ／ｆ  ＜  ０．４０    …（１ａ）
【００３３】
更に好ましくは条件式（１ａ）の数値範囲を以下の範囲とするのがよい。
０．２  ＜  ＤＲ／ｆ  ＜  ０．３    …（１ｂ）
【００３４】
また、各実施例において、光分割手段Ｌｐｄの像側に屈折力を後群ＬＲを配置している。光学系の薄型化を実現するに当たり、正の屈折力の第１レンズ群Ｌ１はできるだけ薄型に配置することが重要である。この場合、光学系Ｌ０全系の屈折力を分担しつつ、充分な収差補正を実現するために、光分割手段Ｌｐｄの像側にも屈折力を有する後群ＬＲを配置することが好ましい。
【００３５】
また、実施例２、３においては、光分割手段Ｌｐｄの像側に各光路中の反射部材ＬＭを配置する構成としている。反射部材ＬＭを配置することで、撮像装置の更なる小型化、フォーカス機構の簡易化を実現している。実施例２においては、像面の直前に反射部材ＬＭを配置することで、像面を第１レンズ面Ｌ１側に偏向している。正の屈折力の第１レンズ群Ｌ１側の空間に撮像素子を配置する構成をとることで、撮像装置の厚みを最小化している。実施例３においては、光分割手段Ｌｐｄの直後に反射部材ＬＭを配置し、その像側に後群ＬＲを配置している。
【００３６】
ここで、反射部材ＬＭにより光軸を光分割手段Ｌｐｄで偏向した光軸に対して、ねじれの方向に偏向している。これによれば、後群ＬＲが同一平面内で同一方向に配置することができる。このとき、後群ＬＲをフォーカスレンズ群としたとき、光束分割後の複数の光路においてフォーカス群の機構を一体化することができて、フォーカス機構の簡易化が容易となる。
【００３７】
また、各図面には図示いていないが、後群ＬＲはレンズ外径を非円形状にカットすることが好ましい。一般に光分割手段Ｌｐｄより像側のレンズ群に入射する光束の光束径は円形状ではないため、光束有効径以外の領域はカットしても光学性能に影響を与えない。ここで、レンズ外径をカットすれば、フォーカス機構など各種メカ機構の配置スペースを確保して、撮像装置の更なる小型化が容易になる。
【００３８】
［実施例１］
以下、図２、図３を参照して、本発明の実施例１の光学系について説明する。図２においてＬｐｄ１、Ｌｐｄ２、Ｌｐｄ３は各々図１の光分割手段Ｌｐｄの反射面の光軸方向の位置に相当している。
【００３９】
実施例１の光学系Ｌ０は物体側から像側へ順に、正の屈折力の第１レンズ群Ｌ１、光分割手段Ｌｐｄ、後群ＬＲにて構成している。図２では光路を展開した光路図を示す。図３では光学系Ｌ０の光分割手段Ｌｐｄで分割された一方の光路図を示している。光分割手段としては、複数の反射面を採用している。
【００４０】
また、光分割手段Ｌｐｄの像側に屈折力を有する後群ＬＲを配置することにより、光学系全系にて良好に収差を補正している。また、無限遠から近距離への合焦においては、第１レンズ群Ｌ１を物体側に移動する前玉フォーカス方式、後群ＬＲを移動するリアフォーカス方式、撮像面を移動する方式等を採用しても良い。
【００４１】
各レンズ群の屈折力配置と各レンズ群内のレンズ構成、フォーカシングレンズ群等を最適化することにより、フォーカス性能が良好な光学系を得ている。
【００４２】
［実施例２］
以下、図４、図５を参照して、本発明の実施例２の光学系について説明する。図４においてＬｐｄ１、Ｌｐｄ２、Ｌｐｄ３は各々図５の光分割手段Ｌｐｄの反射面の光軸方向の位置に相当している。図４においてＬＭ１、ＬＭ２、ＬＭ３は各々図５の反射部材ＬＭの反射面の光軸方向の位置に相当している。図４では光路を展開した光路図を示す。図５では光学系Ｌ０の光分割手段Ｌｐｄで分割された一方の光路図を示している。
【００４３】
実施例２は後群ＬＲからの光束を物体側方向へ反射させる反射部材を有する。実施例２の光学系Ｌ０は後群ＬＲの像側に反射部材ＬＭを設けた点が実施例１と異なり、その他の構成、フォーカス方式は、実施例１と同じである。
【００４４】
実施例２は実施例１と比較して、後群ＬＲの像側で像面ＩＰの直前に反射部材ＬＭを配置している。実施例２では像面ＩＰの直前に反射部材を配置し撮像面を第１レンズ群Ｌ１の方向に配置する構成により、空間を有効活用して撮像装置の更なる小型化を容易にしている。
【００４５】
［実施例３］
以下、図６乃至図９を参照して、本発明の実施例３の光学系について説明する。図６においてＬｐｄ１、Ｌｐｄ２、Ｌｐｄ３は各々図７の光分割手段Ｌｐｄの反射面の光軸方向の位置に相当している。図６においてＬＭ１、ＬＭ２、ＬＭ３は各々図７の反射部材ＬＭａの反射面の光軸方向の位置に相当している。図６では光路を展開した光路図を示す。図７では光学系Ｌ０の光分割手段Ｌｐｄで分割された一方の光路図を示している。
【００４６】
実施例３では光分割手段Ｌｐｄで分割された複数の光束の光路中には各々反射部材ＬＭ（ＬＭａ、ＬＭｂ）が配置され、反射部材で反射された光束は後群ＬＲに導光される。実施例３の光学系Ｌ０は光分割手段Ｌｐｄに隣接して像側に反射部材ＬＭ（ＬＭａ、ＬＭｂ）を設けた点が実施例１と異なり、その他の構成は実施例１と同じである。
【００４７】
図８においては光分割手段Ｌｐｄで２つの光束で分割している。光分割手段Ｌｐｄで分割された一方の光束は反射部材ＬＭａで紙面下方に反射され後群ＬＲａに入射する。図９はこのときの斜視図を示している。また光分割手段Ｌｐｄで分割された他方の光束は反射部材ＬＭｂで紙面上方に反射され、後群ＬＲｂに入射する。
【００４８】
第１レンズ群Ｌ１の光軸と後群ＬＲ（ＬＲ１、ＬＲ２）の光軸は互いに直交する平面内に位置する。即ち、第１レンズ群Ｌ１の光軸と第１レンズ群Ｌ１の光軸上の光線が光分割手段Ｌｐｄで反射されたときの第１反射光軸とで形成される平面を第１平面とする。この第１平面に対して、第１反射光軸と第１反射光軸上の光線が反射部材ＬＭ（ＬＭａ、ＬＭｂ）で反射されたときの第２反射光軸とで形成される第２平面は直交している。
【００４９】
実施例３では反射部材ＬＭ１、ＬＭ２により、光軸を光分割手段で偏向した方向に対して、ねじれ方向に屈曲することで、各光路中に配置した複数の後群ＬＲ（ＬＲａ、ＬＲｂ）を同一面内に配置する構成をとっている。このとき、後群ＬＲをフォーカスレンズ群とすることにより、フォーカス機構を一体化している。
【００５０】
［実施例４］
以下、図１０、図１１を参照して、本発明の実施例４の光学系について説明する。図１０においてＬｐｄ１、Ｌｐｄ２、Ｌｐｄ３は各々図１１の光分割手段Ｌｐｄの反射面の光軸方向の位置に相当している。図１０では光路を展開した光路図を示す。図１１では光学系Ｌ０の光分割手段Ｌｐｄで分割された一方の光路図を示している。
【００５１】
実施例４の光学系Ｌ０は光分割手段Ｌｐｄの１つの反射面を全反射プリズムを利用した点が実施例１と異なり、その他の構成、フォーカス方式は実施例１と同じである。実施例４は実施例１と比較して、光分割手段Ｌｐｄの反射面に全反射プリズムの全反射面を採用している。光分割手段として全反射面を用いることにより、光量を損失することなく光分割と光線偏向を行っている。
【００５２】
以上のように各実施例によれば、瞳径の大きい光学系を用いても撮像装置の薄型化が容易に図れる。
【００５３】
各実施例の光学系において、手ぶれによる像ぶれの補正に際しては、各レンズの何れかを光軸に対して垂直方向の成分を含む方向に移動させるのが良い。この他、撮像素子を変位する構成などを適用してもよい。
【００５４】
以上、本発明の好ましい実施形態について説明したが、本発明はこれらの実施形態に限定されず、その要旨の範囲内で種々の変形及び変更ができる。
【００５５】
次に本発明の光学系Ｌ０を用いたデジタルカメラ（撮像装置）の実施形態を図１３を用いて説明する。図１３において２０はデジタルカメラ本体、２１は上述の実施例の光学系によって構成された撮像光学系である。Ｌｐｄは光分割手段である。撮像光学系２１は被写体の像をＣＣＤ等の固体撮像素子上（光電変換素子上）２２ａ、２２ｂに各々形成している。２３は撮像素子２２ａ、２２ｂが受光した被写体の像を記録する記録手段、２４は不図示の表示素子に表示された画像を観察するためのファインダーである。
【００５６】
上記表示素子は液晶パネル等によって構成され、撮像素子２２ａ、２２ｂ上に形成された画像を合成して表示される。このように本発明の光学系をデジタルカメラ等に適用するこれにより、カメラ厚が薄い携帯性の良い撮像装置を実現している。
【００５７】
次に本発明の実施例１乃至４の数値データ１乃至４を示す。各数値データにおいて、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、ｋ、Ａ４、Ａ６、Ａ８、Ａ１０は非球面係数である。
【００５８】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。ＢＦはバックフォーカスであり最終レンズ面から像面までの距離である。レンズ全長は第１レンズ面から最終レンズ面までの距離にバックフォーカスを加えた値である。
【００５９】
（数値データ１）
単位 mm
面データ
面番号       r        d      nd         νd       有効径
1         39.548    3.53   1.59282    68.6       14.24
2        -40.527    1.08   1.74950    35.3       13.93
3       -103.483    2.00                         13.79
4          ∞       3.18                         15.00
5          ∞       3.18                         15.00
6          ∞      13.91                         15.00
7         -7.576    1.08   1.68893    31.2        8.18
8        -25.686    0.10                          8.86
9        -29.298    3.80   1.76802    49.2        8.91
10*        -8.802   26.45                          9.83
像面        ∞   
【００６０】
非球面データ
第10面
K = 1.21150e-001  A 4= 1.04023e-004  A 6= 4.47201e-007  A 8= 2.53442e-008  
各種データ
ズーム比     1.00 
焦点距離      41.00  
Fナンバー      2.88  
半画角（度）   4.18  
像高           3.00  
レンズ全長    58.31  
BF            26.45  
入射瞳位置     0.00  
射出瞳位置  -131.44  
前側主点位置  30.35  
後側主点位置 -14.55  
ズームレンズ群データ
群  始面    焦点距離  レンズ構成長  前側主点位置  後側主点位置
L1    1      54.93         4.61         0.66         -2.20
Lpd   4       ∞           6.36         3.18         -3.18
LR    7      51.62         4.98        12.91         13.36
単レンズデータ
レンズ  始面  焦点距離
1       1     34.33
2       2    -89.54
3       7    -15.99
4       9     15.16
条件式（１）数値
DR/f= 0.239
【００６１】
（数値データ２）
単位 mm
面データ
面番号       r        d      nd         νd       有効径
1         39.548    3.53   1.59282    68.6       14.24
2        -40.527    1.08   1.74950    35.3       13.93
3       -103.483    2.00                         13.79
4          ∞       3.18                         15.00
5          ∞       3.18                         15.00
6          ∞      13.91                         15.00
7         -7.576    1.08   1.68893    31.2        8.18
8        -25.686    0.10                          8.86
9        -29.298    3.80   1.76802    49.2        8.91
10*        -8.802   17.29                          9.83
11          ∞       3.54                          8.00
12          ∞       3.54                          8.00
13          ∞       2.09                          8.00
像面        ∞   
【００６２】
非球面データ
第10面
K = 1.21150e-001  A 4= 1.04023e-004  A 6= 4.47201e-007  A 8= 2.53442e-008  
各種データ
ズーム比     1.00 
焦点距離      41.00  
Fナンバー      2.88  
半画角（度）   4.18  
像高           3.00  
レンズ全長    58.31  
BF             2.09   
入射瞳位置     0.00  
射出瞳位置  -155.80  
前側主点位置  30.35  
後側主点位置 -38.91  
ズームレンズ群データ
群  始面    焦点距離  レンズ構成長  前側主点位置  後側主点位置
L1    1      54.93         4.61         0.66         -2.20
Lpd   4       ∞           6.36         3.18         -3.18
LR    7      51.62         4.98        12.91         13.36
LM   11       ∞           7.07         3.54         -3.54
単レンズデータ
レンズ  始面  焦点距離
1       1     34.33
2       2    -89.54
3       7    -15.99
4       9     15.16
条件式（１）数値
DR/f= 0.239
【００６３】
（数値データ３）
単位 mm
面データ
面番号       r        d      nd         νd       有効径
1         39.548    3.53   1.59282    68.6       14.24
2        -40.527    1.08   1.74950    35.3       13.93
3       -103.483    2.00                         13.79
4          ∞       3.18                         15.00
5          ∞       3.18                         15.00
6          ∞       2.64                         15.00
7          ∞       3.00                         12.00
8          ∞       3.00                         12.00
9          ∞       5.28                         12.00
10         -7.576    1.08   1.68893    31.2        8.18
11        -25.686    0.10                          8.86
12        -29.298    3.80   1.76802    49.2        8.91
13*        -8.802   26.45                          9.83
像面        ∞   
【００６４】
非球面データ
第13面
K = 1.21150e-001  A 4= 1.04023e-004  A 6= 4.47201e-007  A 8= 2.53442e-008  
各種データ
ズーム比     1.00 
焦点距離      41.00  
Fナンバー      2.88  
半画角（度）   4.18  
像高           3.00  
レンズ全長    58.31  
BF            26.45   
入射瞳位置     0.00  
射出瞳位置  -131.44  
前側主点位置  30.35  
後側主点位置 -14.55  
ズームレンズ群データ
群  始面    焦点距離  レンズ構成長  前側主点位置  後側主点位置
L1    1      54.93         4.61         0.66         -2.20
Lpd   4       ∞           6.36         3.18         -3.18
LM    7       ∞           6.00         3.00         -3.00
LR   10      51.62         4.98        12.91         13.36
単レンズデータ
レンズ  始面  焦点距離
1       1     34.33
2       2    -89.54
3      10    -15.99
4      12     15.16
条件式（１）数値
DR/f= 0.239
【００６５】
（数値データ４）
単位 mm
面データ
面番号       r        d      nd         νd       有効径
1*        15.374    1.80   1.77250    49.5        8.67
2         36.729    1.50                          8.31
3          ∞       2.17   1.51633    64.1       10.00
4          ∞       2.17   1.51633    64.1       10.00
5          ∞       6.10                         10.00
6         -6.939    0.80   1.80518    25.4        5.63
7         12.439    0.49                          6.06
8       -369.575    1.80   1.80400    46.6        6.16
9        -13.063    0.10                          6.86
10         33.366    2.30   1.85135    40.1        7.57
11*       -10.272   16.78                          8.00
像面        ∞   
【００６６】
非球面データ
第1面
K = 0.00000e+000  A 4= 6.35832e-006  A 6= 9.94547e-008  A 8= 1.13327e-009  
第11面
K =-7.87183e+000  A 4=-9.43651e-004  A 6= 2.11563e-005  A 8=-6.14038e-007  A10= 7.07308e-009  
各種データ
ズーム比     1.00 
焦点距離      20.80  
Fナンバー      2.40  
半画角（度）   8.21  
像高           3.00  
レンズ全長    36.00  
BF            16.78   
入射瞳位置     0.00  
射出瞳位置  -358.32  
前側主点位置  19.65  
後側主点位置  -4.02  
ズームレンズ群データ
群  始面    焦点距離  レンズ構成長  前側主点位置  後側主点位置
L1    1      33.02         1.80        -0.71         -1.68
Lpd   3       ∞           4.33         1.43         -1.43
LR    6      21.09         5.49         8.49          8.98
単レンズデータ
レンズ  始面  焦点距離
1       1     33.02
2       3      0.00
3       4      0.00
4       6     -5.43
5       8     16.80
6      10      9.45
条件式（１）数値
DR/f= 0.263
【符号の説明】
【００６７】
Ｌ０  光学系      Ｌ１  正の屈折力の第１レンズ群      Ｌｐｄ  光分割手段
ＬＭ  反射部材      ＬＲ  後群
【図１】
2019035792.tif 000003
【図２】
2019035792.tif 000004
【図３】
2019035792.tif 000005
【図４】
2019035792.tif 000006
【図５】
2019035792.tif 000007
【図６】
2019035792.tif 000008
【図７】
2019035792.tif 000009
【図８】
2019035792.tif 000010
【図９】
2019035792.tif 000011
【図１０】
2019035792.tif 000012
【図１１】
2019035792.tif 000013
【図１２】
2019035792.tif 000014
【図１３】
2019035792.tif 000015